(57)【特許請求の範囲】
【請求項１】
支持部材の上方端部に略水平面である座面を与えた人体矯正用の椅子であって、
前記座面を左右に分割する対称軸を挟んだ対称位置に前記座面から上方に向けて突出する一対の座骨接触部材が設けられ、前記一対の座骨接触部材の頂面である座骨接触座面は前記水平面に対して互いに対向するように前記対称軸へ向けて傾斜しつつ、
前記座骨接触座面は椅子の前方に向けてさらに傾斜している事によって、前記座骨接触座面は椅子の前面にたいして前内上方を向いていることを特徴とする椅子。
【請求項２】
前記座骨接触部材の形状は直角三角形の底面を有する直角三角柱であって、前記左右の直角三角柱の、前記前内上方を向いて傾斜した座骨接触座面の下方の辺たる底辺が延長線上で一定の角度で互いに交わりつつ、
前記直角三角形の直角に対する対辺を含む前記直角三角柱の側面を前記座骨接触座面として前記直角三角柱の他の側面の一つを前記座面に固定することを特徴とする請求項１記載の椅子。
【請求項３】
前記左右の直角三角柱の、前記前内上方を向いて傾斜した座骨接触座面の下方の辺たる底辺が延長線上で互いに交わる角度は６０度であることを特徴とする請求項２記載の椅子。
【発明の詳細な説明】
【０００１】
【発明の属する技術分野】
本発明は、椅子に関する。
【０００２】
【従来の技術】
従来の椅子の座面は、フラット、若しくは体圧を分散するような形態であった。
【０００３】
【発明が解決しようとする課題】
本発明は、人体座骨部の形態を考え人が座った時に脊柱が鉛直線状にり、且つ、骨盤に圧力が加わる事により、術者にとって患者を矯正しやすくする。
【０００４】
【課題が解決しようとする手段】
前記目的を達成する為に、座面座骨接触部材１を椅子前面側から見て角度を付けて固定し、且つ、椅子側面側Ｂ，Ｃから見て角度を付けたもので、座骨接触部材１は三角柱にする事により、より安価に、且つ、丈夫になる。
【０００５】
又、踏み台３、そして左右の踏み台の間１１を有する事により、術者の手法により患者との密着度、適正な位置を確保する。
【０００６】
【発明の実施の形態】
本発明の椅子を実施例に基づいて説明する。
【０００７】
【実施例】
（第１実施例）
図１は本発明の椅子５を、上部から見た図、図２は椅子５に設置してある座骨接触部材１を上部から見た図、図３は椅子５を側面側Ｂから見た図、図４は椅子５に設置した座骨接触部材１を座骨接触部材１から見て側面から見た図、図５は椅子５を後方側Ｄから見た図、図６は椅子５を前方側Ａから見た図である。
【０００８】
フラットな座面１２に座骨接触部材１は椅子５に中央に位置する対象軸２に対して左右一対づつ対象に位置して固定しており（中央にある対象軸２に対して左右が線対象に位置している）、座骨接触部材１は三角柱のかたちをしており、立方体、若しくは、正立方体の対角線上で二つに割ったかたちをしていて、座骨接触部材１の角度的位置は、向かい合う左右２つの座骨接触部材１の互いに前方側Ａに向かい（左右の平面であって斜面である座面９は対象軸２方向に向かい合っている）、且つ、平面で斜面である座面９の底辺１３の延長線の交わる角度６は、４０度から１１０度（理想角度は６０度）、これは図１と図２の座面９の底辺１３の延長線の角度６である。そして、図４の座骨接触部材１を側面から見た角度７は２０度から７０度（理想角度は、３５度から４５度）の角度を有する事により（ようするに左右の斜面である座面９は椅子５の前面にたいして前内上方を向いている）、人が座った時、人体座骨部が座骨接触部材１に接触しこの角度と重力により、仙腸関節に圧力が加わり、且つ、姿勢はよくなり、人体を矯正する際に術者は軽い力で矯正が出来る。
【０００９】
又、左右の座骨接触部材１と座骨接触部材１の間の最短距離８は０．１センチメートル以上、１０センチメートル以下とし、そして、後方側Ｄから見て左右の座骨接触部材１の平面であって斜面である座面９はお互い対象軸２に向いており（お互い内側に向き合っており）、且つ斜面である座面９の底辺１３は前方側Ａに向かって斜め外側に向かっていて、座面９は角度７を有する為子供から大人まで色々な左右の座骨の幅の大きさ（殿部の大きさ）をカバー出来る。
【００１０】
そして、後方側Ｄから見て左右の座骨接触部材１の平面であって斜面である座面９はお互い対象軸２に向いており（お互い内側に向き合っており）、斜面である座面９の底辺１３は前方側Ａに向かって斜め外側に向かっている為、患者が斜面である座面９に座骨部を乗せて座った時に患者の骨盤はしまり背筋は伸び、後方側Ｄから見た左右の辺１４お互いに接していない。
【００１２】
尚、斜面である座面９の底辺１３の大きさは５センチメートル以上でないと安定した骨盤を確保出来ず、辺１４の大きさも７５ミリメートル以上でなければ安定した骨盤を確保できない。
【００１３】
尚、三角柱である座骨接触部材１のかたちは、斜面である座面９の方向的角度６、又、斜面である座面９の側面のから見た角度７は、三角柱で無くても前記に記す斜面である座面９の角度６、又斜面である座面９の側面のから見た角度７、その他の斜面である座面９の位置的なものも確保出来ればどの様なかたちでも良い。
【００１４】
尚、斜面である座面９は図説しないが斜面である座面９を覆うカバーがあり、平面で斜面である座面９とそのカバーの間にはクッション材が存在するように作り、この事により人体座骨部の違和感を取り除け、又平面で斜面である座面９は殿部の曲線あった曲線（凹がた）にっする事により、より違和感を取り除ける。
【００１５】
又、椅子の脚１０は図説していないが高さを調節する駆動装置を有しており、そして左右の座骨接触部材１は斜面である座面９の角度、お互いの距離、お互いの図２に示す角度６は各々駆動する駆動装置を有している為、色々な患者の背骨の高さ、かたち等に適応できる。
【００１６】
又、患者の頸椎以上を矯正する場合術者はより高い位置から矯正した方が力の入力がしやすく、且つ、色々な患者に対応させる為、踏み台３を後方部に装着し（踏み台３は高さを調節できる駆動装置を内蔵している。）、且つ患者との密着度を計り易くする為に、左右の踏み台３の隙間１１を設ける。
【００１７】
そして、斜面である座面９は斜面である為、前方に滑り安くそれを防ぐ為斜面である座面９の表面に０．３ミリメートル以上の凹凸を付けるか、樹脂、ゴム等の滑り止めを有すか、０．３ミリメートル以上の凹凸を有する樹脂、ゴム等の滑り止めを有し、座る人の臀部の滑りを防ぐ。
【００１８】
又、斜面である座面９を底辺１３を支点として可動させる為、斜面である座面９の底辺１３は、人が座った時の大腿部後面が当たる面と留める際、蝶番、若しくは、ゴム、樹脂等の弾性体を取り付けて支店部材として用いて、斜面である座面９の底辺１３を可動させ、図説していないが座面９の角度は駆動装置が内蔵されており角度を自由に変えることが出来る。
【００１９】
又、斜面である座面９を底辺１３の対称辺１５も支点として可動させる時は、底辺１３を固定しないで、斜面である座面９の底辺１３の対称辺１５は、人が座った時の大腿部後面が当たる面と留める際、蝶番、若しくは、ゴム、樹脂等の弾性体を取り付けて支店部材として用いて、底辺１３の対称辺１５も可動させ、図説していないが座面９の角度は駆動装置が内蔵されており角度を自由に変えることが出来る。
【００２０】
【発明の効果】
前記により患者は本発明の椅子に座ることにより脊椎は伸び、術者は矯正をしやすく成った。
【図面の簡単な説明】
【図１】本発明の椅子５を、上部から見た図
【図２】座骨接触部材１を上部から見た図
【図３】椅子５を側面から見た図
【図４】座骨接触部材１を側面から見た図
【図５】椅子５を後方から見た図
【図６】椅子５を前方から見た図
【符号の説明】
１…座骨接触部材
２…対象軸
３…踏み台
５…椅子５
６…角度
７…角度
８…左右の座骨接触部材の間の最短距離
９…斜面である座面
１０…椅子の脚
１１…左右の踏み台の隙間
１２…フラットな座面
１３…斜面である座面の底辺
１４…辺
１５…斜面である座面の底辺１３の対称辺
Ａ…前方側
Ｂ、Ｃ…側面側
Ｄ…後方側
【図１】
0004470195.tif 000002
【図２】
0004470195.tif 000003
【図３】
0004470195.tif 000004
【図４】
0004470195.tif 000005
【図５】
0004470195.tif 000006
【図６】
0004470195.tif 000007